(57)【特許請求の範囲】
【請求項１】
文字板と、該文字板の裏面側に設置される照明ケースとを備えており、
少なくとも、前記文字板が、指針軸穴を有すると共に、
前記照明ケースが、前記指針軸穴へ嵌合される筒壁部を有している車両用計器装置において、
前記照明ケースに、前記筒壁部の文字板に対する接触長よりも長いリブが設けられていると共に、前記文字板に、前記リブが挿通されるリブ受穴が設けられていることを特徴とする車両用計器装置。
【請求項２】
請求項１に記載の車両用計器装置であって、
前記リブは、少なくとも、照明ケースに対する文字板の取付方向と交差する方向へ延びる部分を有していることを特徴とする車両用計器装置。
【請求項３】
請求項１または請求項２に記載の車両用計器装置であって、
前記リブは、少なくとも、照明ケースに対する文字板の取付方向に対し、前記筒壁部を挟んだ両側に存在するように設けられていることを特徴とする車両用計器装置。
【請求項４】
請求項１ないし請求項３のいずれか１項に記載の車両用計器装置であって、
前記文字板が、前記指針軸穴の廻りに計器表示領域を有していると共に、
該照明ケースが、前記筒壁部の廻りに前記計器表示領域の裏面側に位置する計器照明室を有しており、
前記リブが、前記照明ケースの計器照明室の外側となる位置に設けられると共に、
前記リブ受穴が、前記文字板の計器表示領域よりも外側となる位置に設けられていることを特徴とする車両用計器装置。
【発明の詳細な説明】
【技術分野】
【０００１】
この発明は、車両用計器装置に関するものである。
【背景技術】
【０００２】
自動車などの車両には、車室内の前部にインストルメントパネルが設置されている。このインストルメントパネルの運転席側の部分や車幅方向の中央部などには、車両用計器装置が設けられている（例えば、特許文献１参照）。
【０００３】
このような車両用計器装置は、少なくとも文字板と、この文字板の裏面側に設置される照明ケースとを備えている。そして、少なくとも、上記した文字板が、指針軸穴を有すると共に、上記した照明ケースが、指針軸穴へ嵌合される筒壁部を有している。
【先行技術文献】
【特許文献】
【０００４】
【特許文献１】特開２００６−１１２９８４号公報
【発明の概要】
【発明が解決しようとする課題】
【０００５】
しかしながら、上記車両用計器装置には、以下のような問題があった。
即ち、照明ケースに対して文字板を取付ける際に、文字板の指針軸穴の縁部が照明ケースの筒壁部に当たると、文字板の指針軸穴の縁部が筒壁部によって傷付けられてしまい、打痕などの見栄え不良が発生する。
【０００６】
そこで、本発明は、上記した問題点を解決することを、主な目的としている。
【課題を解決するための手段】
【０００７】
上記課題を解決するために、本発明は、
文字板と、該文字板の裏面側に設置される照明ケースとを備えており、
少なくとも、前記文字板が、指針軸穴を有すると共に、
前記照明ケースが、前記指針軸穴へ嵌合される筒壁部を有している車両用計器装置において、
前記照明ケースに、前記筒壁部の文字板に対する接触長よりも長いリブが設けられていると共に、前記文字板に、前記リブが挿通されるリブ受穴が設けられていることを特徴とする。
【発明の効果】
【０００８】
本発明によれば、上記構成によって、照明ケースに対して文字板を取付ける際に、文字板の指針軸穴の縁部が照明ケースの筒壁部に当たって傷付けられるのを有効に防止することができる。
【図面の簡単な説明】
【０００９】
【図１】本実施の形態にかかる車両用計器装置の分解斜視図である。
【図２】図１における文字板と照明ケースとを抜き出した分解斜視図である。
【図３】照明ケースに対して文字板を取付けた状態を示す斜視図である。
【図４】図３の指針軸穴および筒壁部の部分拡大斜視図である。
【図５】照明ケースに対して文字板を取付けた状態を示す正面図である。
【図６】図５のリブおよびリブ受穴の部分拡大斜視図である。
【発明を実施するための形態】
【００１０】
以下、本実施の形態を、図面を用いて詳細に説明する。
図１〜図６は、この実施の形態を説明するためのものである。
【実施例１】
【００１１】
＜構成＞以下、この実施例の構成について説明する。
【００１２】
自動車などの車両には、車室内の前部にインストルメントパネルが設置されている。このインストルメントパネルの運転席側の部分や車幅方向の中央部などには、車両用計器装置が設けられている。
【００１３】
図１は、車両用計器装置１の分解斜視図である。車両用計器装置１は、裏面側から表面側に向って、ロワケース２、回路基板３、照明ケース４、文字板５、目盛リング６、アッパケース７、加飾リング８、透明カバー９などを有している。また、文字板５の表面側には指針１０が回動可能に設置される。但し、車両用計器装置１の構成は、上記に限るものではない。
【００１４】
そして、図２に示すように、車両用計器装置１は、少なくとも、文字板５と、この文字板５の裏面側に設置される照明ケース４とを備えたものとされており、図３、図４に示すように、少なくとも、上記した文字板５が、指針軸穴１１を有すると共に、上記した照明ケース４が、指針軸穴１１へ嵌合される筒壁部１２を有している。
【００１５】
ここで、文字板５は、例えば、透明なフィルムに対し、透光性または半透光性の表示部を残して不透光性の印刷層を形成したものとされる。また、照明ケース４は、文字板５の表示部を照明するための光源が設置される照明室を構成するものである。照明ケース４は、例えば、反射率の高い白色樹脂などによって構成される。光源は、照明室の内部に配置されるように回路基板３に対して取付けられる。
【００１６】
図４に示すように、指針軸穴１１は、筒壁部１２とほぼ同径のものとされる。指針軸穴１１は、少なくとも照明ケース４に文字板５を取付けるのに要する動きの分だけ、照明ケース４に対する文字板５の取付方向１５（図の場合には、下側から上側となっている）に長い長穴とされる。筒壁部１２には、文字板５の浮きを防止するために、指針軸穴１１の縁部を係止する突起部１３が形成されている。これに対し、指針軸穴１１には、嵌合時に突起部１３を逃げるための逃げ部１４が設けられる。
【００１７】
この場合、突起部１３は、筒壁部１２先端における、指針軸穴１１を通して文字板５の表面側へ突出する部分に対し、照明ケース４に対する文字板５の取付方向１５と直交する方向１６（図の場合には、左右方向となっている）へ向けて一対突設されている。
【００１８】
また、逃げ部１４は、筒壁部１２先端とほぼ同径とされた指針軸穴１１における、挿入初期に突起部１３と干渉する部分の周辺に設けられている。
【００１９】
この場合、取付方向１５は、車両用計器装置１を車両に搭載した状態を基準にして、下側から上側へ向かう方向とされているため、取付方向１５と直交する方向１６は、ほぼ車幅方向となる。そして、逃げ部１４は、指針軸穴１１の上側の半部に設けられた拡径穴などとされている。但し、取付方向１５は、上記に限るものではない。例えば、上側から下側へ向かう方向としたり、右側から左側へ向かう方向としたり、左側から右側へ向かう方向としたりすることも構造的には可能である。
【００２０】
以上のような基本的な構成に対し、この実施例では、以下のような構成を備えるようにしている。
【００２１】
（１）図５、図６に示すように、上記照明ケース４に、上記筒壁部１２の文字板５に対する接触長２１（図４参照）よりも長い（または大きい）リブ２２が設けられるようにする。そして、上記文字板５に、上記リブ２２が挿通されるリブ受穴２３が設けられるようにする（筒壁部１２の文字板５に対する接触長２１＜リブ２２の長さまたは大きさ）。
【００２２】
ここで、文字板５に対する接触長２１とは、文字通り、筒壁部１２の文字板５と当接（または接触）する部分（弧など）の長さのことである。例えば、筒壁部１２が文字板５と全周に亘って当接する場合には、接触長２１は筒壁部１２の全周の長さ（円弧長）が基準となり、または、筒壁部１２が文字板５と半周分だけ当接する場合には、接触長２１は筒壁部１２の半周の長さ（半円弧長）が基準となる。
【００２３】
リブ２２は、接触長２１よりも長く、しかも、照明ケース４に対して文字板５を取付ける際に、筒壁部１２よりも目に付き易い大きさまたは長さとなるように設けられる。リブ受穴２３は、図６に示すように、少なくとも照明ケース４に文字板５を取付けるのに要する動きの分だけ、リブ２２よりも幅広のものとされる。リブ２２は、筒壁部１２とほぼ同程度の高さとするのが好ましい。
【００２４】
（２）上記リブ２２は、少なくとも、照明ケース４に対する文字板５の取付方向１５と交差する方向３１へ延びる部分３２を有するものとするのが好ましい。
【００２５】
ここで、取付方向１５と交差する方向３１へ延びる部分３２は、部分的なものであっても、全体的なものであっても良い。この場合には、リブ２２のほぼ全体を取付方向１５と交差する方向３１へ延びる部分３２としている。リブ２２は、直線的なものとしても、曲線的なものとしても良い。
【００２６】
そして、照明ケース４に対する文字板５の取付方向１５と交差する方向３１へ延びる部分３２は、取付方向１５と直交する方向１６、または、直交に近い方向へ延びるものであることが最も好ましい。
【００２７】
また、上記部分３２は、取付方向１５と交差する方向３１に対し、筒壁部１２を挟んで両側（図５の場合には、筒壁部１２の左右）に存在するように設けるのが好ましい。筒壁部１２の両側に存在する上記部分３２は、連続したものであっても、複数に分離されたものであっても良い。この場合には、複数に分離されたものとなっている。
【００２８】
（３）上記リブ２２は、少なくとも、照明ケース４に対する文字板５の取付方向１５に対し、上記筒壁部１２を挟んだ両側に存在するように設けられるのが好ましい。
【００２９】
ここで、上記筒壁部１２を挟んだ両側は、図５の場合には、筒壁部１２の上下となっている。
【００３０】
（４）より具体的には、図２に示すように、上記文字板５が、上記指針軸穴１１の廻りに計器表示領域４１を有している。
この照明ケース４が、上記筒壁部１２の廻りに上記計器表示領域４１の裏面側に位置する計器照明室４２を有している。
そして、上記リブ２２が、上記照明ケース４の計器照明室４２の外側となる位置に設けられる。
また、上記リブ受穴２３が、上記文字板５の計器表示領域４１よりも外側となる位置に設けられる。
【００３１】
ここで、計器表示領域４１は、例えば、速度計や回転計などの表示領域とされる。計器照明室４２は、速度計や回転計などの表示領域を照明するためのものとされる。計器照明室４２は、円形状または円弧形状の凹部とされる。なお、筒壁部１２の内側は指針照明室とされる。速度計や回転計などは、指針１０が回動する領域の最も外側の位置に、指針１０で差すことで数値を読み取れるようにした目盛が設けられているので、計器表示領域４１や計器照明室４２よりも外側となる位置は、目盛よりも外側の位置となる。
【００３２】
この場合、リブ２２およびリブ受穴２３は、ほぼ円形状をした計器表示領域４１や計器照明室４２の周囲を取り囲むように４つ設けられている。４つのリブ２２およびリブ受穴２３は、筒壁部１２を中心とする円弧状のものとされて、取付方向１５および取付方向１５と直交する方向１６に対して周方向にほぼ４５度ズレた位置に設けられている。この周方向にほぼ４５度ズレた位置は、計器表示領域４１の外側に、警告灯や案内灯（例えば、図２のウインカー４３参照）などが存在している可能性が高い位置であるので、これらとの間の遮光性を確保する上では、特に便宜が良い。
【００３３】
なお、上記した４つのリブ２２およびリブ受穴２３は、図では、全て同じ長さで、筒壁部１２を中心として回転対称となり、筒壁部１２を通って取付方向１５へ延びる線に対して対称となり、筒壁部１２を通って取付方向１５と直交する方向１６へ延びる線に対して対称となるように設置されているが、必ずしもこれに限るものではない。例えば、４つのリブ２２およびリブ受穴２３は、上記した対称関係のいずれか１つを有していれば良いし、または、対称関係を有していなくても良い。また、４つのリブ２２およびリブ受穴２３は、計器表示領域４１や計器照明室４２の状況に合わせて個々に長さが異なるようにしても良い。また、リブ２２およびリブ受穴２３の設置個数は、４つに限るものではなく、例えば、１つ、または、２つ以上とすることができる。リブ２２やリブ受穴２３が１つの場合には、計器表示領域４１や計器照明室４２の全周に亘って閉ループ状に延びるものとしても良いし、または、１箇所が開いた開ループ状のものとしても良い。また、リブ２２やリブ受穴２３が複数の場合には、これらのリブ２２およびリブ受穴２３は、計器表示領域４１や計器照明室４２の周方向に対して等間隔に配置しても良いし、不等間隔に配置しても良い。更に、リブ２２やリブ受穴２３は、筒壁部１２を中心とする円弧状としているが、それ以外に、筒壁部１２を中心としない円弧状や、直線状や、曲線状や、折線状やこれらの組み合わせ形状などとすることができる。
【００３４】
なお、リブ２２およびリブ受穴２３は、内周側に目盛が形成されるようにした目盛リング６（図１参照）などによって覆い隠すようにしても良い。
【００３５】
＜作用効果＞この実施例によれば、以下のような作用効果を得ることができる。
【００３６】
（作用効果１）照明ケース４に対して文字板５を取付ける場合、例えば、文字板５を照明ケース４と平行に保持した状態で面直方向に近接させつつ、文字板５を下側から上側へ僅かに動かして、指針軸穴１１を筒壁部１２へ嵌合させる。この時、指針軸穴１１の逃げ部１４（拡径穴）を筒壁部１２の突起部１３が通るようにする。この文字板５の取付けは手作業で行われる。
【００３７】
この際、筒壁部１２に文字板５の指針軸穴１１の縁部が当たると、文字板５の指針軸穴１１の縁部が筒壁部１２により傷付けられて、打痕などの見栄え不良が発生することになる。
【００３８】
そこで、照明ケース４に筒壁部１２の文字板５に対する接触長２１よりも長い（または大きい）リブ２２を設け、文字板５にリブ２２を挿通するリブ受穴２３を設けた。一般に、点で当たるよりも線で当たった方が力は分散されるため、上記したような長いリブ２２を設けることで、力の分散効果を利用して文字板５に筒壁部１２による打痕などの見栄え不良が発生するのを防止することができる。そして、照明ケース４に対して文字板５を取付ける際に、筒壁部１２よりもリブ２２の方が先に当たり易くなる寸法関係とするには、少なくとも、文字板５（の指針軸穴１１）と筒壁部１２との隙間ａ（図４参照）よりも、文字板５（のリブ受穴２３）とリブ２２との隙間ｂ（図６参照）の方が小さくなるようにするのが好ましい（隙間ａ＞隙間ｂ）。
【００３９】
また、小さい物よりも大きい物の方が取付け上の目安になり易いので、照明ケース４に対して文字板５を取付ける際に、大きいリブ２２を目標にして作業を行うことで、指針軸穴１１に筒壁部１２を通し易くすることができる。
【００４０】
更に、リブ２２をリブ受穴２３へ通すことで、指針軸穴１１に筒壁部１２を通す際に、ガイドとなることも期待できる。
【００４１】
（作用効果２）リブ２２が、少なくとも、照明ケース４に対する文字板５の取付方向１５と交差する方向３１へ延びる部分３２を有するようにした。これにより、文字板５の取付方向１５と交差する方向３１に、リブ２２による保護範囲を拡げることができるようになる。よって、例えば、照明ケース４に対して文字板５を取付ける際に、取付方向１５と交差するに方向に文字板５がブレても、上記部分３２が先に当たるようになることで、筒壁部１２による文字板５の指針軸穴１１の縁部に対する傷付きを防止することができる。以って、文字板５の取付方向１５と異なる方向への動きに対しても、傷付きが生じ難くなるようにすることができる。
【００４２】
（作用効果３）照明ケース４に対する文字板５の取付方向１５に対し、筒壁部１２を挟んだ両側にリブ２２が存在しているようにした。これにより、照明ケース４に対して文字板５を取付ける際に、筒壁部１２よりも先にどちらかのリブ２２が必ず当たるようになるので、文字板５の指針軸穴１１の縁部が筒壁部１２により傷付けられて、打痕などの見栄え不良が発生するのをより確実に防止することができる。
【００４３】
（作用効果４）リブ２２を照明ケース４の計器照明室４２の外側に設けると共に、リブ受穴２３を文字板５の計器表示領域４１よりも外側に設けた。これにより、リブ２２で、計器照明室４２および計器表示領域４１からの光漏れを防止できるようになり、計器表示領域４１の外側に設けられている警告灯や案内灯（例えば、図２のウインカー４３）などに対する遮光機能をも得ることができるようになる。
【００４４】
また、リブ２２およびリブ受穴２３を、計器照明室４２および計器表示領域４１の外側に設けることにより、筒壁部１２からは離れ過ぎず、しかも、邪魔にならない位置に対して、リブ２２およびリブ受穴２３をスペース効率良く配置することができる。
【００４５】
以上、実施例を図面により詳述してきたが、実施例は例示にしか過ぎないものである。よって、本発明は、実施例にのみ限定されるものではなく、要旨を逸脱しない範囲の設計の変更等があってもこの発明に含まれることは勿論である。
【００４６】
また、例えば、各実施例に複数の構成が含まれている場合には、特に記載がなくとも、これらの構成の可能な組合せが含まれることは勿論である。また、複数の実施例や変形例が開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００４７】
１    車両用計器装置
５    文字板
４    照明ケース
１１  指針軸穴
１２  筒壁部
１５  取付方向
２１  文字板に対する接触長
２２  リブ
２３  リブ受穴
３１  交差する方向
３２  交差する方向へ延びる部分
４１  計器表示領域
４２  計器照明室
【図１】
0006628635.tif 000002
【図２】
0006628635.tif 000003
【図３】
0006628635.tif 000004
【図４】
0006628635.tif 000005
【図５】
0006628635.tif 000006
【図６】
0006628635.tif 000007